(57)【特許請求の範囲】
【請求項１】
椅子の背凭れの背面または椅子の前方の壁面等に取付けられたテーブル支持部材により、テーブルを、上下方向を向く不使用状態と、この不使用状態より引き上げ、上限の引上げ位置において後下方に回動することにより、ほぼ水平をなす使用状態とに移動しうるように支持してなる折り畳みテーブル装置において、
前記テーブル支持部材における左右に対向する内側部に、内向きに付勢することにより、上下方向に向けたテーブルの側面に弾性的に圧接して、前記テーブルの下降に抵抗力を付与する抵抗力付与手段を設け、前記抵抗力付与手段を、テーブル支持部材の両側部に設けた左右方向を向く嵌合孔に、左右方向に摺動可能に収容された支持ピンと、この支持ピンを、その先端部が前記テーブル支持部材の内側面より突出する方向に常時付勢する付勢手段として圧縮コイルばねを備えるものとし、前記支持ピンにおける前記テーブル支持部材よりの突出端部を、不使用状態におけるテーブルの側面に設けた上下方向を向く凹状断面のガイド溝に摺動可能に嵌合するとともに、前記支持ピンの先端を前記ガイド溝の奥面に弾性的に圧接させてなることを特徴とする折り畳みテーブル装置。
【請求項２】
ガイド溝の深さを、上方に向かうにしたがって漸次浅くしてなる請求項１記載の折り畳みテーブル装置。
【請求項３】
テーブルを上限の引上げ位置まで引上げたとき、支持ピンがガイド溝の下端と当接するようにし、かつこの状態で前記テーブルを前記支持ピンを中心としてほぼ水平の使用状態まで回動しうるようにしてなる請求項１または２記載の折り畳みテーブル装置。
【発明の詳細な説明】
【技術分野】
【０００１】
本発明は、例えば学校の講堂や公共施設の会議室、劇場等に設置される椅子における背凭れの背面、または最前列の椅子の前方の壁面等に装着され、テーブルを、上下方向を向く不使用状態と、ほぼ水平をなす使用状態との間を移動しうるように支持してなる折り畳みテーブル装置に関する。
【背景技術】
【０００２】
椅子の背凭れの背面に装着したテーブル装置におけるテーブルを、上下方向を向く不使用状態から上限位置まで引き上げたのち、後席の着座者が筆記作業等を行いうる水平の使用状態まで、後下方に回動しうるように支持したものは、例えば特許文献１〜３に記載されており、公知である。
【先行技術文献】
【特許文献】
【０００３】
【特許文献１】特許第３４５９２１９号公報
【特許文献２】特許第４１９７４３９号公報
【発明の概要】
【発明が解決しようとする課題】
【０００４】
上記特許文献１及び２に記載のものにおいては、オイルダンパー付きのバランスばねにより、テーブルの支持軸に回転抵抗力を付与したり、ロータリーダンパにより、テーブルに接触させたローラの回転に抵抗力を付与したりして、テーブルの下降速度を減速し、テーブルを不使用状態まで下降させて停止する際に、不快な衝突音を発したり、使用者が指を挟んだりしないようにしてある。
【０００５】
このようなオイルダンパー付きのバランスばねやロータリーダンパを用いると、それらの組付工数が増大するとともに、テーブルの支持や回動機構等が複雑かつ大型化して、テーブルの収納部が大きくなるという問題がある。特に、テーブルの収納部が大きくなると、これが、椅子の背凭れの後方に大きく突出することになるので、後席の着座者の下肢前方の空間が狭くなるとともに、前後の椅子の間を通行する際の障害となる。
また、オイルダンパー付きのバランスばねやロータリーダンパは、高価であるので、テーブル装置のコストも大となる。
【０００６】
本発明は、上記問題点に鑑みてなされたもので、テーブルを上下方向を向く不使用状態まで下降する際の下降速度を、構造の簡単な抵抗力付与手段により効果的に減速しうるようにした、小型で安価な折り畳みテーブル装置を提供することを目的としている。
【課題を解決するための手段】
【０００７】
本発明によると、上記課題は、次の各項のようにして解決される。
（１）椅子の背凭れの背面または椅子の前方の壁面等に取付けられたテーブル支持部材により、テーブルを、上下方向を向く不使用状態と、この不使用状態より引き上げ、上限の引上げ位置において後下方に回動することにより、ほぼ水平をなす使用状態とに移動しうるように支持してなる折り畳みテーブル装置において、前記テーブル支持部材における左右に対向する両側部に、内向きに付勢することにより、上下方向に向けたテーブルの側面に弾性的に圧接して、前記テーブルの下降に抵抗力を付与する抵抗力付与手段を設け、前記抵抗力付与手段を、テーブル支持部材の両側部に設けた左右方向を向く嵌合孔に、左右方向に摺動可能に収容された支持ピンと、この支持ピンを、その先端部が前記テーブル支持部材の内側面より突出する方向に常時付勢する付勢手段として圧縮コイルばねを備えるものとし、前記支持ピンにおける前記テーブル支持部材よりの突出端部を、不使用状態におけるテーブルの側面に設けた上下方向を向く凹状断面のガイド溝に摺動可能に嵌合するとともに、前記支持ピンの先端を前記ガイド溝の奥面に弾性的に圧接させるようにする。
【０００８】
このような構成とすると、テーブル支持部材の両側部に設けた抵抗力付与手段による摺動摩擦抵抗により、テーブルを不使用状態まで下降する際の下降速度が減速されるので、テーブルが下限位置で停止した際の衝突音を小さくすることができる。
また、従来のように、高価で大掛かりなオイルダンパー付きのバランスばねやロータリーダンパ等を設ける必要はなく、抵抗力付与手段による摺動摩擦抵抗のみにより、テーブルの下降速度を減速しうるので、小型で安価な折り畳みテーブル装置を提供することができる。
さらに、テーブルは、その両側面を左右の抵抗力付与付勢手段により内方に押圧された状態で昇降するので、左右方向にぐらつくのが防止される。また、抵抗力付与手段の部品点数が少なく、かつ構造も簡単であるので、テーブル支持部材及びテーブル装置全体を、軽量・小型化することができる。
また、左右の支持ピンがテーブルの両側面のガイド溝に摺動可能に嵌合されているので、テーブルを、前後方向のぐらつきを防止して、安定よく昇降させることができる。
【０００９】
（２）上記(１)項において、ガイド溝の深さを、上方に向かうにしたがって漸次浅くする。
【００１０】
このような構成とすると、テーブルが下限の不使用位置まで下降するにしたがって、支持ピンの先端が徐々にガイド溝の奥面に強く圧接し、摺動摩擦抵抗が大となるので、テーブルの下降速度を徐々に遅くすることができ、テーブルを不使用位置までスムーズに下降させることができる。
【００１１】
（３）上記(１)または(２)項において、テーブルを上限の引上げ位置まで引上げたとき、支持ピンがガイド溝の下端と当接するようにし、かつこの状態で前記テーブルを前記支持ピンを中心としてほぼ水平の使用状態まで回動しうるようにする。
【００１２】
このような構成とすると、支持ピンは、テーブルを昇降させるガイド手段と、上限の引上げ位置において後下方に回動させる支軸との二つの機能を有するので、部品点数を削減することができる。
【発明の効果】
【００１３】
本発明によれば、テーブル支持部材の両側部に設けた抵抗力付与手段による摺動摩擦抵抗により、テーブルを不使用状態まで下降する際の下降速度が減速されるので、テーブルが下限位置で停止した際の衝突音を小さくすることができる。
また、従来のように、高価で大掛かりなオイルダンパー付きのバランスばねやロータリーダンパ等を設ける必要はなく、抵抗力付与手段による摺動摩擦抵抗のみにより、テーブルの下降速度を減速しうるので、小型で安価な折り畳みテーブル装置を提供することができる。
【図面の簡単な説明】
【００１４】
【図１】本発明の折り畳みテーブル装置の一実施形態を備える連結椅子を後方より見た斜視図である。
【図２】同じく、テーブルを使用状態としたときの折り畳みテーブル装置の平面図である。
【図３】同じく、正面図である。
【図４】同じく、側面図である。
【図５】同じく、斜視図である。
【図６】同じく、テーブルとカバーを取り外した状態の拡大斜視図である。
【図７】同じく、テーブルを不使用状態としたときの折り畳みテーブル装置の平面図である。
【図８】同じく、正面図である。
【図９】同じく、側面図である。
【図１０】同じく、斜視図である。
【図１１】図２のXI−XI線拡大縦断面図である。
【図１２】同じく、XII−XII線拡大縦断面図である。
【図１３】同じく、XIII−XIII拡大縦断側面図である。
【図１４】同じく、テーブルを不使用状態としたときの図１３と同部位の拡大縦断側面図である。
【図１５】図２のXV−XV線拡大縦断面図である。
【図１６】図１３のXVI−XVI線拡大横断平面図である。
【図１７】図１４のXVII−XVII線拡大横断平面図である。
【発明を実施するための形態】
【００１５】
以下、本発明の実施形態を、図面に基づいて説明する。
図１は、学校の講堂等に設置される連結椅子の斜視図で、各椅子１の背凭れ２の背面には、本発明の折り畳みテーブル装置(以下、テーブル装置と略称する)３が取り付けられている。
図２〜図５は、テーブル装置３における後記するテーブル４を使用状態としたときを、図７〜図１０は、同じくテーブル４を不使用状態としたときを、それぞれ示している。
【００１６】
図２〜図５に示すように、テーブル装置３は、方形のテーブル４と、その左右両側部を支持する１対のテーブル支持部材５、５とを備えている。テーブル４の両側面には、その長さとほぼ等しいガイドレール６、６が、止めねじ７、７により取り付けられている。
【００１７】
図１１及び図１２は、テーブル４を使用状態としたときの拡大縦断面図で、左右のガイドレール６、６における外側面と上面と下面とには、それぞれ、外側方に開口する内向きＵ字状断面のガイド溝８と、上方に開口する下向き円弧状断面のガイド溝９と、下方に開口する下向きコ字状断面のガイド溝１０とが、前後方向に向かって形成されている。外側面と下面のガイド溝８、１０は、ガイドレール７の前部と後部を除いた部分に、上面のガイド溝９は、ガイドレール７の後部を除いた全長に、それぞれ形成されている。
また、外側面のガイド溝８と上面のガイド溝９の深さは、ガイドレール６の後部に向かうにしたがって漸次浅くなるようにしてある。
【００１８】
左右のガイド溝８、８は、左右のテーブル支持部材５に設けた後記する支持ピン３４に、左右の上面のガイド溝９、９は、同じく後記するガイドピン３０に、左右の下面のガイド溝１０、１０は、同じく後記する左右の後部内向突壁１２の上部に突設したガイド突条１５に、それぞれ摺動可能に嵌合されるようになっている。なお、これらのガイド溝８、９、１０は、ガイドレール７を省略し、その分幅広としたテーブル４の両側端部に直接設けることもある。
【００１９】
図１３に示すように、上面のガイド溝９の前端部は、前端に向かうにしたがって漸次円弧状に深くしてある。これは、テーブル４を下降させて、上下方向を向く不使用状態とする際に、ガイド溝９の下端部が後記する下方のガイドピン３０にスムーズに嵌合されるようにするためである。
【００２０】
テーブル支持部材５、５は左右対称をなし、図２〜図６に示すように(図６は、テーブル４と後記するカバー１９を取り外して示してある)、側面形状がほぼ後向き台形をなす垂直かつ厚肉の基板１１と、その後端部の内側面の上下方向の中間部に突設された後部内向突壁１２と、基板１１の前端部の内側面の上下部に、互いに上下に対向するように突設された１対の前部内向突壁１３、１３と、両前部内向突壁１３の内側面に、互いに上下に対向するように内向き突設された、背凭れ２にねじ止めするための１対の取付突部１４、１４とを備え、テーブル支持部材５全体は合成樹脂により一体成形されている。
【００２１】
後部内向突壁１２と上下の前部内向突壁１３との内方への突出寸法はほぼ等しく、かつ後部内向突壁１２の上面と、上方の前部内向突壁１３の下面との間には、テーブル４の厚さとほぼ同等の空間が形成されている(図１３参照)。
【００２２】
また、後部内向突壁１２と、上下の前部内向突壁１３及び上下の取付突部１４との間には、ほぼテーブル４の厚さ分の空間が形成され、その間を上下方向に向けたテーブル４が昇降しうるようになっている(図１４参照)。
【００２３】
さらに、後部内向突壁１２、上下の前部内向突壁１３及び上下の取付突部１４により囲まれた空間を、上限の引上げ位置まで引き上げたテーブル４を使用状態まで後下方に回動させる際に、その下端部(前端部)の前上方への回動を許容する回動空間Ｓとしてある(図１３〜図１５参照)。
【００２４】
左右の後部内向突壁１２の前上部には、前方及び上方に突出するとともに、前角部を円弧状の曲面としたガイド突条１５が突設され、このガイド突条１５には、上述した左右のガイドレール７の裏面のガイド溝１０が摺動可能に嵌合されるようになっている(図１３参照)。
【００２５】
図６及び図１５に示すように、左右のテーブル支持部材５、５は、それらの前面にねじ止めされた左右方向の連結板１６により連結され、互いに左右方向に位置決めした状態で背凭れ２の背面に取付けうるようにしてある。
【００２６】
図６及び図１５に示すように、上部の取付突部１４の前端部上面より起立する上向片１４ａと、下部の取付突部１４とに設けた前後方向を向くボルト挿通孔１７、１７に挿入したボルト１８、１８を、連結板１６を貫通させて、背凭れ２の背面に螺挿することにより、左右のテーブル支持部材５は背凭れ２の背面に固定されている。
テーブル支持部材５の取付後において、左右の上部の取付突部１４、１４間には、カバー１９が着脱自在に装着され、左右の取付突部１４の上面と後面、及び左右の前部内向突壁１３、１３との間の空間が体裁よく覆われている。
【００２７】
図６及び図１５に示すように、左右の下部の取付突部１４には、テーブル４を使用状態とする際、その回動に抵抗力を付与するための回動抵抗付与手段２０が取り付けられている。
この回動抵抗付与手段２０は、側面視後向き倒立Ｌ字状断面をなす基部２１と、この基部２１の後向片２１ａの後端部より斜め前上方に向かって起立する弾性撓曲片２２とからなり、基部２１の下向片２１ｂを、取付突部１４の前面に設けた前方及び上方に開口する上下方向の凹溝２３に嵌合させ、かつ下部の取付突部１４固定用のボルト１８を、下向片２１ｂに穿設した通孔２４に挿通させて共締めすることにより、下方の前部内向突壁１３に固定されている。
【００２８】
弾性撓曲片２２は、回動空間Ｓ内において、上下の前部内向突壁１３、１３間の前後方向の中間部に位置するようにしてある。
弾性撓曲片２２の後面は、前上方に向かってなだらかに湾曲する凹曲面をなし、かつ板厚を上端に向かうにしたがって漸次薄肉とすることにより、上部ほど前方に撓み易くしてある。また、後向片２０ａと弾性撓曲片２２との連設隅部に、前上方に開口する欠円形断面の凹部２５を設けることにより、弾性撓曲片２２全体が凹部２５を中心として前方に弾性変形しうるようにしてある。
【００２９】
図１５に示すように、上部の取付突部１４に穿設された上下方向を向くめねじ孔２６には、下端が、使用状態としたテーブル４の前端部上面と当接することにより、その角度を調節するための調節ボルト２７が螺挿されている。調節ボルト２７における下方への突出端部には、緩み止め用のロックナット２８が螺合されている。
【００３０】
図１３に示すように、左右のテーブル支持部材５における上下の前部内向突壁１３、１３には、前後両方向に開口するとともに、後端部を小径孔２９ａとした段付孔２９、２９が形成され、両段付孔２９には、それよりも短寸をなすとともに、後端面に後向きのガイドピン３０が一体的に連設された、前方に開口する有底筒状のプランジャ３１が、ガイドピン３０を小径孔２９ａより後方に突出させて、前後方向に摺動可能に嵌合されている。ガイドピン３０の先端部は、テーブル４が上下方向を向く不使用状態にあるとき、その上面に設けたガイド溝９に摺動可能に嵌合されるようになっている。
【００３１】
プランジャ３１内には、これを後向きに付勢する付勢手段である圧縮コイルばね３２が収容され、この圧縮コイルばね３２は、その前端を、左右のテーブル支持部材５の後面に固定された連結板１６の後面に当接させることにより、段付孔２９及びプランジャ３１からの抜止めがなされている。
また、連結板１６の取付時に、圧縮コイルばね３２を若干圧縮させることにより、ガイドピン３０及びプランジャ３１を常時後向きに付勢し、ガイドピン３０の先端が、ガイドレール６の上面に設けたガイド溝９の奥面に圧接するようにしてある。なお、上記ガイドピン３０と圧縮コイルばね３２とにより、テーブル４の下降に抵抗力を付与する抵抗力付与手段が構成されている。
【００３２】
図１６に示すように、左右のテーブル支持部材５の基板１１のやや後部寄りに形成された厚肉部１１ａには、左右両方向に開口するとともに、内側端部を小径孔３３ａとした段付孔３３が形成され、この段付孔３３には、それよりも短寸をなすとともに、内端面に内側方を向く支持ピン３４が一体的に連設された、外側方に開口する有底筒状のプランジャ３５が、左右方向に摺動可能に嵌合されている。
【００３３】
支持ピン３４は、後部内向突壁１２の斜め前上方、すなわち、後部内向突壁１２と上部の前部内向突壁１３との対向面間の中央部において、小径孔３３ａより内側方に突出するようにしてある。左右の支持ピン３４の先端部は、テーブル４の両側面を支持しうるように、左右のガイドレール６の側面のガイド溝８に摺動可能に常時嵌合されている(図１１参照)。
また、テーブル４を上下方向に向けた状態において、そのガイド溝８の上下両端に支持ピン３４が当接することにより、テーブル４は下限位置と上限位置で停止するようになっている。なお、テーブル４を下限位置と上限位置で停止させる手段は、例えば、左右のテーブル支持部材５と、テーブル４の上下の端部との少なくともいずれか一方に突設したストッパ等であってもよい。
【００３４】
プランジャ３５内には、これを内向きに付勢する付勢手段である圧縮コイルばね３６が収容され、この圧縮コイルばね３６は、段付孔３３の側端部の内周面に形成した雌ねじ３７に、押え板３８の外周面の雄ねじ３９を螺合することにより、段付孔３３及びプランジャ３５からの抜止めがなされている。この際、押え板３８により圧縮コイルばね３６を圧縮することにより、支持ピン３４及びプランジャ３５を常時内側方に付勢し、支持ピン３４の先端が、ガイドレール６の側面に設けたガイド溝８の奥面に圧接するようにしてある。
押え板３８の外側面には、これを工具をもって着脱しうるように、六角孔４０を設けてある。なお、上記支持ピン３４と圧縮コイルばね３６とにより、テーブル４の下降に抵抗力を付与する第２の抵抗力付与手段が構成されている。
【００３５】
上記実施形態のテーブル装置３において、テーブル４を、上下方向を向く不使用状態から、ほぼ水平の使用状態とするには、テーブル４の後面上部の中央部に設けた凹状の手掛部４１を把持して、テーブル４を上限の引上げ位置まで、すなわち左右のガイドレール６、６の外側面に設けたガイド溝８、８の下端が、それに摺動可能に嵌合された左右のテーブル支持部材５における支持ピン３４、３４に当接して停止するまで引き上げる。この際、図７に示すように、左右のガイドレール６に設けたガイド溝８、９、１０には、それぞれ、左右のテーブル支持部材５に設けた左右１対の支持ピン３４、左右の上下１対のガイドピン３０、及び左右１対のガイド突条１５が摺動可能に嵌合されているので、テーブル４を、前後左右方向のぐらつきを防止して、安定よく引き上げることができる。
【００３６】
ついで、図１３及び図１５に示すように、上限位置まで引き上げたテーブル４を、左右の支持ピン３４を中心として後下方に回動させると、テーブル４の下端部(前端部)が、回動空間Ｓ内において前上方に回動することにより、テーブル４における支持ピン３４より後方の前端部下面が、後部内向突壁１２の上面に、同じく支持ピン３４より前方の前端部上面が、調節ボルト２７の下端にそれぞれ当接し、テーブル４はほぼ水平の使用状態となる。この際、ガイドレール６の下面のガイド溝１０が、ガイド突条１５の上部に嵌合するので、テーブル４の使用状態において、これが左右方向にぐらつくのが防止される。また、図１６に示すように、ガイドレール６取付用の前部の止めねじ７の頭部が、テーブル支持部材５における基板１１の厚肉部１１ａの前面に当接または近接することにより、テーブル４が後方に抜け外れるのが確実に防止される。
なお、調節ボルト２７を下方に突出させる必要のないときには、テーブル４の前端部上面は、上方の前部内向突壁１３の下面に当接する。
【００３７】
テーブル４の下向き回動時において、その下端(前端)が回動抵抗付与手段２０における弾性撓曲片２２の後面に当接し、これを前方に弾性変形させることにより、テーブル４の回動に抵抗力が付与され、テーブル４を緩速で下向きに回動させることができる。従って、テーブル４が後部内向突壁１２や調節ボルト２７に当接する際の衝撃が緩和されるので、大きな当接音を発することがなくなる。
なお、テーブル４の角度の調整は、調節ボルト２７を回動させて行うことができる。
【００３８】
使用状態としたテーブル４を、上下方向を向く不使用状態とするには、図１４に示すように、まず、手掛部４１を把持して、テーブル４を、左右のガイドレール６の上面が上方の前部内向突壁１３の後面に、同じく裏面が後部内向突壁１２の前面にそれぞれ当接するまで、前上方に起立させる。すると、両ガイドレール６の上面のガイド溝９が、上方の後部内向突部１３のガイドピン３０に嵌合する。
【００３９】
この状態で、テーブル４を下降させると、ガイド溝９が、下方の後部内向突壁１３のガイドピン３０にも嵌合し、テーブル４は、左右の上下２個ずつのガイドピン３０により案内されて、後部内向突壁１２と上下の前部内向突壁１３との間を円滑に下降する。この際、上述したように、ガイド溝９の前端部(不使用状態では下端部)を、前端(下端)に向かうにしたがって漸次円弧状に深くしてあるので、図１４の２点鎖線で示すように、ガイド溝９に下方のガイドピン３０がスムーズに嵌合する。
【００４０】
左右のガイドレール６の下面に設けたガイド溝１０には、左右の後部内向突壁１２に設けたガイド突条１５が摺動自在に嵌合されているので、テーブル４は、左右方向へのぐらつきが防止されて、より安定よく下降する。
【００４１】
テーブル４が下限位置まで、すなわち、左右のガイド溝８の上端が左右の支持ピン３４と当接する位置まで自重により下降することにより、テーブル４は不使用状態となる。この状態において、テーブル４は、後部内向突壁１２と上下の前部内向突壁１３とにより保持されているので、前後方向に妄りに揺動する恐れはない。
【００４２】
テーブル４を下降させて不使用状態とする際、上述したように、ガイド溝８とガイド溝９の深さを、後端(不使用状態では上端)に向かうにしたがって漸次浅くなるようにしてあるので、図１６及び図１７に示すように、テーブル４が下限位置まで下降するにしたがって、ガイドピン３０は前方に、支持ピン３４は外側方に、それぞれ圧縮コイルばね３２、３６を圧縮して移動させられる。
【００４３】
これにより、圧縮コイルばね３２、３６の弾性反発力により、ガイドピン３０と支持ピン３４との先端が、上方に行くにしたがって、徐々に両ガイド溝８、９の奥面に強く圧接し、その際の摺動摩擦抵抗により、テーブル４の下降速度を徐々に遅くすることができる。
その結果、テーブル４が下限位置で停止した際の衝突音を小さくしうるとともに、テーブル４の下端が後席の着座者の膝の上に勢いよく当たるのを防止することができる。
【００４４】
以上説明したように、上記実施形態のテーブル装置３においては、テーブル４は、左右１対のテーブル支持部材５の対向面に突設した後部内向突壁１２と、上下の前部内向突壁１３、１３との間を、前後方向に揺動することなく、不使用状態から上限位置までの間を安定よく昇降することができる。
【００４５】
また、上限位置において、テーブル４を後下方に回動させると、その下端部(前端部)が、テーブル支持部材５の対向面の回動空間Ｓ内において前上方に回動することにより、テーブル４の前端部上面と下面とが、それぞれ、調節ボルト２７の下端または上方の前部内向突壁１３の下面と、後部内向突壁１２の上面とにそれぞれ当接し、テーブル４をほぼ水平の使用状態に保持することができる。
【００４６】
このように、左右１対のテーブル支持部材５の対向面に、後部内向突壁１２と、上下の前部内向突壁１３、１３とを突設するだけで、テーブル４を安定よく昇降させうるとともに、後下方に回動させてほぼ水平の使用状態としうるので、テーブル支持部材５の構造が簡単となり、かつ部品点数や組付工数も少なくて済むので、小型で安価なテーブル装置３を提供することができる。
【００４７】
また、左右のテーブル支持部材５に設けた上下のガイドピン３０、３０と支持ピン３４とを、それぞれ、テーブル４の両側面のガイドレール６、６における上面と外側面に設けた、溝の深さが上方に向かうにしたがって漸次浅くなるようにしたガイド溝８、９に嵌合してその奥面に圧接させるとともに、両ガイドピン３０、３４を圧縮コイルばね３２、３６により常時付勢し、テーブル４を下降させて上下方向を向く不使用状態とする際の摺動摩擦抵抗を大とすることにより、その下降速度を減速しうるようにしてあるので、構造が複雑で高価なオイルダンパー付きのバランスばねや、ロータリーダンパ等の減速手段を用いる必要がない。
従って、テーブル４の支持や回動機構等が大型化するなどの問題はなく、テーブル装置３を小型・軽量化しうるとともに、コスト低減が図れる。
【００４８】
本発明は、上記実施形態に限定されるものではない。
上記実施形態においては、テーブル４の前面に圧接することにより、その下降に抵抗力を付与する抵抗力付与手段を、ガイドピン３０と圧縮コイルばね３２とからなるものとしたが、それらの代わりに、前部内向突壁１３の後面に取付けた、前向きに弾性変形可能な板ばねよりなる抵抗力付与手段を用いてもよい。この際には、板ばねを、ガイド溝９に摺動可能に嵌合しうる形状として、その奥面に圧接させるか、またはガイド溝９を省略して、板ばねの後端面をテーブル４の両側部前面に直接圧接させればよい。
後端面をテーブル４の両側部前面に直接圧接させる際には、テーブル４の板厚を上端に向かうにしたがって漸次厚くすれば、テーブル４の下降速度を徐々に遅くすることができる。
【００４９】
また、上記実施形態においては、テーブル４の側面に圧接することにより、その下降に抵抗力を付与する第２の抵抗力付与手段を、支持ピン３４と圧縮コイルばね３６とからなるものとしたが、圧縮コイルばね３６を省略して、支持ピン３４には、テーブル４のガイド手段と支軸のみの機能を持たせ、テーブル支持部材５の内側面に、外向きに弾性変形可能な板ばねよりなる抵抗力付与手段を別途取付け、その内側面を、テーブル４の両側面に、ガイド溝８を避けて圧接させるようにしてもよい。この際には、テーブル４の左右幅を上端に向かうにしたがって漸次大とすれば、テーブル４の下降速度を徐々に遅くすることができる。
【００５０】
さらに、上記実施形態においては、ガイドピン３０と圧縮コイルばね３２よりなる抵抗力付与手段を、テーブル支持部材５における前部内向突壁１３に設けて、テーブル４の下降速度を減速しうるようにしたが、この実施形態とは反対に、後部内向突壁１２に、ガイドピン３０と圧縮コイルばね３２とからなる抵抗力付与手段を、ガイドピン３０が前方に付勢されるようにして設け、ガイドピン３０の前端を、上下方向を向くテーブル４の後面に設けたガイド溝の奥面に圧接させることにより、テーブル４の下降速度を減速しうるようにしてもよい。この際には、後部内向突壁１２を上下１対とし、そのそれぞれに、抵抗力付与手段を設けることもある。
【００５１】
上記実施形態においては、テーブル装置３を、椅子１の背凭れ２の背面に取付けた例を説明したが、最前列の椅子の着座者がテーブルを使用しうるように、その最前列の椅子の前方の壁面等に、上記と同様のテーブル装置３を取付けることができる。
【符号の説明】
【００５２】
１  椅子
２  背凭れ
３  テーブル装置
４  テーブル
５  テーブル支持部材
６  ガイドレール
７  止めねじ
８  ガイド溝
９  ガイド溝
１０  ガイド溝
１１  基板
１１ａ厚肉部
１２  後部内向突壁
１３  前部内向突壁
１４  取付突部
１４ａ上向片
１５  ガイド突条
１６  連結板
１７  ボルト挿通孔
１８  ボルト
１９  カバー
２０  回動抵抗付与手段
２１  基部
２１ａ後向片
２１ｂ下向片
２２  弾性撓曲片
２３  凹溝
２４  通孔
２５  凹部
２６  めねじ孔
２７  調節ボルト
２８  ロックナット
２９  段付孔
２９ａ小径孔
３０  ガイドピン
３１  プランジャ
３２  圧縮コイルばね(付勢手段)
３３  段付孔
３３ａ小径孔
３４  支持ピン
３５  プランジャ
３６  圧縮コイルばね(付勢手段)
３７  雌ねじ
３８  押え板
３９  雄ねじ
４０  六角孔
４１  手掛部
Ｓ  回動空間
【図１】
0005684598.tif 000002
【図２】
0005684598.tif 000003
【図３】
0005684598.tif 000004
【図４】
0005684598.tif 000005
【図５】
0005684598.tif 000006
【図６】
0005684598.tif 000007
【図７】
0005684598.tif 000008
【図８】
0005684598.tif 000009
【図９】
0005684598.tif 000010
【図１０】
0005684598.tif 000011
【図１１】
0005684598.tif 000012
【図１２】
0005684598.tif 000013
【図１３】
0005684598.tif 000014
【図１４】
0005684598.tif 000015
【図１５】
0005684598.tif 000016
【図１６】
0005684598.tif 000017
【図１７】
0005684598.tif 000018